(57)【要約】  【課題】ハウジング、ブレードホルダー、スライダー及びブレードを有する２方向から押圧することができるスライダー付きカッター。  【解決手段】スライダーは、ハウジングに移動可能に取り付けられ、ブレードホルダーに接続され、かつ、上部摺動体、下部摺動体及び弾性タブ部を有している。上部摺動体は、Ｌ字形の横断面を有して、ハウジングの頂部壁及び側部壁にそれぞれ対応する頂部壁及び側部壁を形成している。案内凹部は、上部摺動体の側部壁に画成されて、案内チャネルの縁部を形成しているハウジングの側部壁の一部分を摺動可能に受け入れている。よって、カッターは、簡便に使用できる。【選択図】  図１
2014033963.tif 000002
【特許請求の範囲】
【請求項１】
カッターであって、該カッターは、
ハウジングであって、
頂部壁及び側部壁を有する中空の本体と、
本体の側部壁を通して画成され、かつ、縁部を有する案内チャネルと、
を有するハウジングと、
ハウジングの本体内に配設され、かつ、多数の歯を有するブレードホルダーと、
スライダーであって、ハウジングに移動可能に取り付けられ、ブレードホルダー接続されており、かつ、
上部摺動体であって、
ハウジングの本体の頂部壁及び側部壁にそれぞれ対応する頂部壁及び側部壁を形成するＬ字形の横断面と、
上部摺動体の側部壁によって画成され、かつ、案内チャネルの縁部を形成するハウジングの本体の側部壁の一部分を摺動可能に受け入れる案内凹部と、
を有する上部摺動体と、
上部摺動体に結合されている下部摺動体と、
下部摺動体に取り付けられ、かつ、ブレードホルダーの歯の少なくとも一つと係合する弾性タブ部と、
を備えているスライダーと、
スライダーに接続されており、かつ、ブレードホルダーに移動可能に取り付けられているブレードと、
を備えていることを特徴とするカッター。
【請求項２】
上部摺動体は、ハウジングに対向する内面において、上部摺動体の側部壁に形成され、かつ、それから突出している位置決め部材をさらに有しており、かつ、
位置決め部材は、Ｌ字形の横断面を有し、かつ、
上部摺動体の側部壁に接続され、かつ、ハウジングの本体における案内チャネルに摺動可能に取り付けられている横方向部分と、
取付け部分であって、横方向部分の端部に接続されており、かつ、上部摺動体の側部壁と略平行であって、該取付け部分と上部摺動体の側部壁との間に案内凹部を画成している取付け部分と、
を備えている、
ことを特徴とする請求項１記載のカッター。
【請求項３】
位置決め部材の横方向部分は、上部摺動体の長さより小さな長さを有して、位置決め部材と上部摺動体の頂部壁及び側部壁との間に逃がし穴を画成していることを特徴とする請求項２記載のカッター。
【請求項４】
上部摺動体は、上部摺動体の頂部壁と側部壁との間に形成されている凹形の結合部分を有していることを特徴とする請求項１〜３のうちのいずれか１項に記載のカッター。
【請求項５】
上部摺動体は、ハウジングに対向する側部において上部摺動体の頂部壁及び側部壁にそれぞれ形成されており、かつ、ハウジングの本体の頂部壁及び側部壁にそれぞれ当接する滑らかな外面を有する２つのリブ部をさらに有していることを特徴とする請求項２〜４のうちのいずれか１項に記載のカッター。
【請求項６】
下部摺動体は、
上部摺動体に対向する側部において下部摺動体に形成され、かつ、それから突出しており、かつ、接続ベースに画成された結合溝穴部を有している接続ベースを、
さらに有し、
上部摺動体は、上部摺動体の位置決め部材の取付け部分に形成され、かつ、接続ベースの結合溝穴部に係合している結合タブ部をさらに有し、かつ、
位置決め部材の取付け部分は、上部摺動体に対向する下部摺動体の側部に当接している、
ことを特徴とする請求項５記載のカッター。
【請求項７】
弾性タブ部は、弾性タブ部の２つの端部から突出し、かつ、下部摺動体から延出している２つの脚部を有しており、
弾性タブ部の各脚部は、下部摺動体から延出し、かつ、ブレードホルダーの歯の一つに係合している係合端部を有しており、
上部摺動体は、それぞれ弾性タブ部の脚部の係合端部に当接する２つの突出部をさらに有しており、
突出部は、位置決め部材の取付け部分に横方向に形成され、かつ、それから突出しており、かつ、
各突出部は、突出部の端部に画成され、かつ、弾性タブ部の脚部の対応する一方に当接する傾斜押圧面を有している、
ことを特徴とする請求項６記載のカッター。
【請求項８】
各突出部は、傾斜押圧面が画成され、かつ、他の突出部に対向している端部において、突出部に形成されている押圧ブロックをさらに有しており、かつ、
各突出部の押圧ブロックは、上部摺動体から下部摺動体に向かって突出している長さであって、かつ、上部摺動体から下部摺動体に向かって突出している突出部の長さより大きい長さを有している、
ことを特徴とする請求項７記載のカッター。
【請求項９】
突出部は、下部摺動体の接続ベースの上面に当接していることを特徴とする請求項８記載のカッター。
【請求項１０】
ハウジングの本体の側部壁は、本体の側部壁の長手方向において画成された中心線を有しており、かつ、
案内チャネルは、中心線の上方に位置している、
ことを特徴とする請求項１〜９のうちのいずれか１項に記載のカッター。
【請求項１１】
ハウジングの本体は、
本体の長手方向に画成された細長形状のチャンバーと、
本体の前端部及び後端部にそれぞれ画成され、かつ、チャンバーと連通している２つの開口部と、
本体に画成され、かつ、案内チャネルとチャンバーとの間に位置し、かつ、それらと連通している細長形状の通路と、
をさらに有しており、
ブレードホルダーは、チャンバーに取り付けられており、
下部摺動体の接続ベースは、通路に摺動可能に取り付けられており、かつ、
通路は、チャンバーの幅より小さく、かつ、案内チャネルの幅より大きな幅を有している、
ことを特徴とする請求項１０記載のカッター。
【請求項１２】
ハウジングの本体は、案内チャネルが画成された第１の側部壁と第２の側部壁とを含む２つの側部壁を有しており、
本体の各側部壁は、本体の後端部における側部壁に画成され、かつ、頂部壁から、本体の底部壁近くであって、かつ、本体の底部壁から隔たった位置まで延出している結合凹部を有しており、
各結合凹部は、凹形の底部を有しており、
ハウジングは、中空であって、本体の後端部に取り付けられており、かつ、
リヤキャップにおいて画成され、かつ、ハウジングの本体の後端部を内側に保持している保持凹部と、
ハウジングの本体における結合凹部の凹形の底部に対応し、かつ、それと整合する形状を有して、リヤキャップの縁部の端部にそれぞれ２つの切欠き部を形成している縁部と、
を有するリヤキャップをさらに有しており、
ハウジングの本体の各結合凹部は、結合凹部の凹形の底部に形成されている結合リブ部をさらに有しており、かつ、
リヤキャップは、リヤキャップにおける保持凹部の２つの内面にそれぞれ画成され、かつ、結合凹部における結合リブ部にそれぞれ係合している２つの係合溝部をさらに有している、
ことを特徴とする請求項１〜１１項のうちのいずれか１項に記載のカッター。
【請求項１３】
ハウジングの本体は、第２の側部壁に画成された係合凹部を有し、
リヤキャップは、リヤキャップの保持凹部の内面の一方に形成され、かつ、それから突出しており、かつ、ハウジングの本体の係合凹部に係合している係合ブロックをさらに有している、
ことを特徴とする請求項１２項記載のカッター。
【請求項１４】
カッター用のスライダーであって、該カッター用のスライダーは、
上部摺動体であって、
頂部壁及び側部壁を形成するためのＬ字形の横断面と、
上部摺動体の側部壁の内面に形成され、かつ、それから突出している位置決め部材と、
側部壁と位置決め部材との間に画成され、かつ、ハウジングの本体の側部壁に画成された案内チャネルの縁部を形成しているカッターのハウジングの本体の側部壁の一部分を摺動可能に受け入れるようになされている案内凹部と、
を有する上部摺動体と、
上部摺動体に結合されている下部摺動体と、
下部摺動体に取り付けられている弾性タブ部と、
を備えている、
ことを特徴とするカッター用スライダー。
【請求項１５】
位置決め部材は、Ｌ字形の横断面を有しており、かつ、
上部摺動体の側部壁に接続されている横方向部分と、
取付け部分であって、横方向部分の端部に接続されており、かつ、上部摺動体の側部壁と略平行であって、該取付け部分と上部摺動体の側部壁との間に案内凹部を画成している取付け部分と、
を備えている、
ことを特徴とする請求項１４に記載のスライダー。
【請求項１６】
位置決め部材の横方向部分は、上部摺動体の長さより小さい長さを有して、位置決め部材と上部摺動体の頂部壁及び側部壁との間に逃がし穴を画成していることを特徴とする請求項１５に記載のスライダー。
【請求項１７】
上部摺動体は、上部摺動体の頂部壁と側部壁との間に形成されている凹形の結合部分を有していることを特徴とする請求項１４〜１６項のうちのいずれか１項に記載のスライダー。
【請求項１８】
上部摺動体は、それぞれ上部摺動体の頂部壁及び側部壁に形成されている滑らかな外面を有する２つのリブ部をさらに有していることを特徴とする請求項１５〜１７項のうちのいずれか１項に記載のスライダー。
【請求項１９】
弾性タブ部は、弾性タブ部の２つの端部から突出しており、かつ、下部摺動体から延出している２つの脚部を有しており、
弾性タブ部の各脚部は、下部摺動体から延出する係合端部を有して、ブレードホルダーの歯の一つに係合しており、
上部摺動体は、弾性タブ部の脚部の係合端部にそれぞれ当接する２つの突出部をさらに有しており、かつ、
各突出部は、突出部の端部に画成され、かつ、弾性タブ部の脚部の対応する一方に当接する傾斜押圧面を有している、
ことを特徴とする請求項１５〜１８項のうちのいずれか１項に記載のスライダー。
【請求項２０】
下部摺動体は、
上部摺動体に対向し、かつ、接続ベースに画成された結合溝穴部を有する側部において下部摺動体に形成され、かつ、それから突出している接続ベース、
をさらに有し、
上部摺動体は、上部摺動体の位置決め部材の取付け部分に形成され、かつ、接続ベースの結合溝穴部に係合している結合タブ部をさらに有しており、かつ、
位置決め部材の取付け部分は、上部摺動体に対向する下部摺動体の側部に当接している、
ことを特徴とする請求項１９記載のスライダー。
【請求項２１】
各突出部は、傾斜押圧面が画成され、かつ、他の突出部に対向している端部における突出部に形成され、かつ、弾性タブ部の脚部の対応する一方の係合端部の中央位置に当接している押圧ブロックをさらに有していることを特徴とする請求項２０記載のスライダー。
【請求項２２】
突出部は、下部摺動体における接続ベースの上面に当接していることを特徴とする請求項２０又は２１記載のスライダー。
【発明の詳細な説明】
【技術分野】
【０００１】
本発明は、カッターに関し、より詳しくは、２方向から押圧できるスライダーを有するカッターに関する。
【背景技術】
【０００２】
カッターは、紙等を切るのに広く使用され、ブレードホルダー、ブレード及びスライダーを備えている。ブレードは、ブレードホルダーに摺動可能に取り付けられている。スライダーは、ブレードホルダーに摺動可能に取り付けられており、異なる作業ニーズに対応すべく、ブレードを押圧して異なる所望の長さだけブレードホルダーから外に出せるよう、ブレードに接続されている。台湾実用新案第Ｍ３９０２１２号（名称「カッター用スライダー」）では、ブレードホルダーに摺動可能に取り付けられ、かつ、ブレードに接続されているスライダーが開示されている。’２１２特許のスライダーは、上部摺動体、下部摺動体及び弾性タブ部を備えている。結合タブ部及び結合溝穴部が、それぞれ上部及び下部摺動体に形成されており、互いに他に係合して、上部及び下部摺動体を互いに他に結合している。上部摺動体は、ブレードホルダーの側部壁に画成された案内チャネルに摺動可能に取り付けられ、かつ、案内チャネルから露出している。よって、上部摺動体を押圧すれば、ブレードをブレードホルダーから延出、又は、ブレードホルダーの中へと後退させることができ、したがって、ブレードの移動が操作可能である。
【先行技術文献】
【特許文献】
【０００３】
【特許文献１】台湾実用新案第Ｍ３９０２１２号
【特許文献２】台湾実用新案第２８１１４１号
【特許文献３】中国特許公報１０１２６９４９１号
【発明の概要】
【発明が解決しようとする課題】
【０００４】
しかしながら、従来のスライダーの上部摺動体（例えば、’２１２特許に開示されているもの）は、略平坦なボードであり、したがって、上部摺動体は、ユーザーが押圧する単一の押圧面を有しているに過ぎない。したがって、スライダーは、単一の方向からしか押圧することができず、したがって、スライダーを押圧して移動させるためには、ユーザーは、カッターを特定の保持方式で保持し、スライダーを特定の方向から押圧しなければならない。したがって、スライダーの使用は、融通が利かず、簡便でもない。また、’２１２特許に開示されているカッターの案内チャネルは、一般に、ブレードホルダーの側部壁の中央部分に形成されており、広い幅を有している。案内チャネルを介して、外来物が、ブレードホルダーに入り、カッターの滑らかな操作を妨げ易い。
【０００５】
台湾実用新案第２８１１４１号（名称「ブレード交換構造物の取外しが容易なカッター」）では、スライダーを２方向から押圧可能にするＬ字形の横断面を有する押圧スライダーが開示されている。しかしながら、’１４１特許のスライダーは、単一の部品として形成されており、カッターを定位置に保持することができない。ユーザーは、ブレードを延出位置に保持してカッティングを行なうためには、スライダーを押圧し続けなければならず、したがって、特許’１４１のカッターの操作は、簡便ではない。
【０００６】
中国特許公報１０１２６９４９１号（名称「切断ナイフ」）には、複雑な構造を有するスライダーが含まれており、’４９１特許のスライダーは、単一の特定方向にしか押圧できない。
【０００７】
本発明は、これらの欠点を無くすため、上記の問題を軽減あるいは排除したカッター及びカッター用スライダーを提供しようとするものである。
【課題を解決するための手段】
【０００８】
本発明の主要な目的は、使用の簡便さと融通性を向上させるため、２方向から押圧できるスライダー付きカッターを提供することである。
【０００９】
カッターは、ハウジング、ブレードホルダー、スライダー及びブレードを有している。ハウジングは、本体及び案内チャネルを有している。本体は、中空で、頂部壁及び側部壁を有している。案内チャネルは、本体の側部壁を通して画成されており、縁部を有している。ブレードホルダーは、ハウジングの本体に配設されており、多数の歯を有している。スライダーは、ハウジングに移動可能に取り付けられ、ブレードホルダーに接続され、上部摺動体、下部摺動体及び弾性タブ部を有している。上部摺動体は、Ｌ字形の横断面を有していて、それぞれハウジングの本体の頂部壁及び側部壁に対応する頂部壁及び側部壁を形成している。案内凹部が、上部摺動体の側部壁によって画成されており、かつ、案内チャネルの縁部を形成しているハウジングの本体の側部壁の一部分を摺動可能に受け入れている。下部摺動体は、上部摺動体に結合されている。弾性タブ部は、下部摺動体に取り付けられ、かつ、ブレードホルダーの歯の少なくとも一つに係合している。ブレードは、スライダーに接続されており、ブレードホルダーに移動可能に取り付けられている。
【００１０】
本発明は、さらに、上部摺動体、下部摺動体及び弾性タブ部を有するスライダーを提供している。上部摺動体は、Ｌ字形の横断面を有して、頂部壁及び側部壁、位置決め部材及び案内凹部を形成している。位置決め部材は、上部摺動体の側部壁の内面に形成され、それから突出している。案内凹部は、上部摺動体の側部壁と位置決め部材との間に画成されており、ハウジングの本体の側部壁に画成された案内チャネルの縁部を形成しているカッターのハウジングの本体の側部壁の一部分を摺動可能に受け入れるようになされている。下部摺動体は、上部摺動体に結合されている。弾性タブ部は、下部摺動体に取り付けられている。
【発明の効果】
【００１１】
本発明によるスライダー付きカッターは、下記の効果を奏することが可能である。
【００１２】
１．上部摺動体のＬ字形の横断面により、上部摺動体は、頂部壁、側部壁又は上部摺動体の頂部壁と側部壁との間の結合部分から押圧して、本体の案内チャネルに沿って移動させることができ、カッターの延出長を制御して自動ロックすることができる。スライダーの押圧は、単一の特定の方向又は単一の押圧面に限定されず、したがって、カッターは、簡便に使用できる。
【００１３】
２．ハウジングの案内チャネルの幅は、低減して、カッターの内部構造物を露出させないようにすることができる。また、カッターの操作の妨げとなる外来物がハウジング内に入り込まないようにすることができ、カッターの外観を美麗にして、消費者に対する魅力を高めることができる。
【００１４】
３．位置決め部材及び接続ベースは、上部摺動体と下部摺動体との間にＬ字形の当接関係をもたらすことができる。よって、上部及び下部摺動体の結合の構造的安定性を高めることができ、かつ、スライダーをより実際的に押圧して移動させ、かつ、操作することができる。
【００１５】
４．上部摺動体は、押圧ブロックを有する２つの突出部をさらに有しており、弾性タブ部の脚部の中央位置に当接する。したがって、上部摺動体と弾性タブ部との間の接触面積及び上部摺動体から弾性タブ部への押圧力を増大させることができる。弾性タブ部は、押圧して歯から実際に外すことができる。
【００１６】
５．上部摺動体と位置決め部材との間に逃がし穴が形成されており、案内チャネルに対する上部摺動体の移動距離を延長させることができる。結果として、ハウジングから延出しているブレードの延出長も、各種用途の異なるニーズに合わせて増大可能である。したがって、カッターは、使用の融通が利き、実用性が増大している。
【００１７】
本発明の他の目的、利点及び新規な特徴は、下記の詳細な説明と添付の図面の併用により、さらに明らかになるであろう。
【図面の簡単な説明】
【００１８】
【図１】図１は、本発明によるスライダー付きカッターの斜視図である。
【図２】図２は、図１におけるスライダー付きカッターの分解斜視図である。
【図３】図３は、図１におけるスライダー付きカッターの線３-３矢視の部分断面における拡大端面図である。
【図４】図４は、図１におけるカッターの部分断面における拡大平面図である。
【図５】図５は、図１におけるスライダーの拡大分解斜視図である。
【図６】図６は、図１におけるカッターの部分断面の側面図である。
【図７】図７は、図１におけるカッターの拡大横断面平面図である。
【発明を実施するための形態】
【００１９】
図１及び２を参照すると、本発明によるカッターは、ハウジング１０、ブレードホルダー２０、スライダー３０及びブレード４０を備えている。ハウジング１０は、プラスチックにすることができる。さらに図３を参照すると、ハウジング１０は、中空の本体１２及びリヤキャップ１８を備えている。本体１２は、頂部壁、２つの側部壁、チャンバー１２２、２つの開口部、案内チャネル１２４及び通路１２６を有している。チャンバー１２２は、細長形状であり、本体１２において長手方向に画成されている。開口部は、それぞれ本体１２の前端部及び後端部において画成されており、チャンバー１２２と連通している。案内チャネル１２４は、本体１２の側部壁の一方を通して長手方向に画成されており、かつ、縁部を有している。案内チャネル１２４が画成されている本体１２の側部壁は、第１の側部壁として画成されており、他の側部壁は、第２の側部壁として画成されている。案内チャネル１２４は、本体１２の第１の側部壁の長手方向に画成されている中心線Ｌの上に位置しており、また、案内チャネル１２４は、本体１２の頂部壁に隣接している。ここで、中心線Ｌは、本体１２の第１の側部壁を上側部分と下側部分に略均等に分割している。案内チャネル１２４は、本体１２の後端部における開口部と連通している後端部、及び、本体１２の前端部における開口部から隔てられ、かつ、それと連通していない前端部を有している。通路１２６は、細長形状で、本体１２において長手方向に画成されており、かつ、案内チャネル１２４とチャンバー１２２との間に位置して、それらと連通している。よって、案内チャネル１２４は、通路１２６を介してチャンバー１２２と連通している。好ましくは、通路１２６は、図３に示すように、チャンバー１２２の幅Ｗ１より小さく、かつ、案内チャネル１２４の幅Ｗ３より大きな幅Ｗ２を有している。
【００２０】
リヤキャップ１８は、本体１２の後端部に取り付けられ、本体１２の後端部における開口部を塞いでいる。図１、２及び４を参照すると、リヤキャップ１８は、長手方向もしくは長手方向でない方向において、本体１２と結合させることができる。長手方向においては、リヤキャップ１８は、’２１２特許もしくは’４９１特許に記載されているように、本体１２の長手方向に沿って、本体１２と結合されている。長手方向でない方向では、リヤキャップ１８は、本体１２の長手方向でない方向に沿って本体１２と結合されている。リヤキャップ１８が、長手方向でない方向で本体１２と結合されている場合は、本体１２の各側部壁は、本体１２の後端部における側部壁に画成され、かつ、頂部壁から、本体１２の底部壁近くであって、かつ、本体１２の底部壁から隔てられている位置まで延出している結合凹部１３、１３１を有している。各結合凹部１３、１３１は、凹形の底部を有している。各結合凹部１３、１３１は、さらに、結合凹部１３、１３１の凹形の底部に形成されている結合リブ部１３２を有している。好ましくは、本体１２の第１の側部壁に画成された結合凹部１３は、第１の結合凹部１３として画成されており、かつ、本体１２の第２の側部壁に画成された結合凹部１３１は、第２の結合凹部１３１として画成されている。第１の結合凹部１３は、案内チャネル１２４の後端部及び通路１２６と連通している。第２の結合凹部１３１は、さらに、第２の結合凹部１３１の底面に画成された係合凹部１３４を有している。リヤキャップ１８は、中空であり、かつ、保持凹部１８２を有している。保持凹部１８２は、リヤキャップ１８に画成されており、かつ、本体１２の後端部を内側に保持している。リヤキャップ１８は、本体１２における結合凹部１３、１３１の凹形の底部に対応し、かつ、それに整合する形状を有する縁部を有して、リヤキャップ１８の縁部の端部において、それぞれ２つのカットオフ部１８３を形成している。リヤキャップ１８は、さらに、それぞれリヤキャップ１８における保持凹部１８２の２つの内面に画成され、かつ、それぞれ結合凹部１３、１３１における結合リブ部１３２に係合する２つの係合溝部１８４を有している。リヤキャップ１８は、さらに、リヤキャップ１８の保持凹部１８２の内面の一方に形成され、かつ、それから突出し、かつ、本体１２における係合凹部１３４に係合している係合ブロック１８６を有している。本体１２における結合凹部１３、１３１及びリヤキャップ１８におけるカットオフ部１８３の対応する形状により、リヤキャップ１８は、本体１２の頂部壁から底部壁に至る方向に沿って、本体１２の後端部に結合されている。リヤキャップ１８の結合方向は、従来のリヤキャップの長手方向とは異なっており、リヤキャップ１８及び本体１２に別の結合方式をもたらしている。また、本体１２に対するリヤキャップ１８の結合は、係合凹部１３４と係合ブロック１８６との間の、及び、結合リブ部１３２と係合溝部１８４との間の係合により、堅固である。
【００２１】
図１〜３を参照すると、ブレードホルダー２０は、本体１２におけるチャンバー１２２に取り付けられている。ブレードホルダー２０は、細長形状、中空で、本体１２の前端部における開口部から延出している前端部を有している。ブレードホルダー２０は、案内チャネル１２４が画成されている本体１２の第１の側部壁に対向するブレードホルダー２０の側部壁に画成された細長形状の位置決めチャンネル２２を有している。位置決めチャンネル２２の内縁部に沿って多数の歯２４が形成されている。
【００２２】
スライダー３０は、ハウジング１０に移動可能に取り付けられ、ブレードホルダー２０に接続されており、かつ、上部摺動体３２、下部摺動体３６及び弾性タブ部３８を備えている。図２、３及び５を参照すると、上部摺動体３２は、Ｌ字形の横断面を有して、本体１２の頂部壁及び第１の側部壁にそれぞれ対応する頂部壁及び側部壁を形成している。上部摺動体３２は、上部摺動体３２の頂部壁と側部壁との間に形成された凹形の結合部分を有している。位置決め部材３３は、ハウジング１０に対向する内面において、上部摺動体３２の側部壁に形成され、かつ、それから突出している。位置決め部材３３は、Ｌ字形の横断面を有し、かつ、横方向部分３３２及び取付け部分３３４を備えている。横方向部分３３２は、上部摺動体３２の側部壁に接続されており、かつ、案内チャネル１２４において、摺動可能に取り付けられている。取付け部分３３４は、横方向部分３３２の端部に接続されており、かつ、上部摺動体３２の側部壁と略平行であって、取付け部分３３４と上部摺動体３２の側部壁との間に案内凹部３４を画成している。案内凹部３４は、案内チャネル１２４の縁部を形成している本体１２の側部壁の一部分を摺動可能に受け入れている。案内凹部３４の構成により、上部摺動体３２は、案内チャネル１２４に対して、かつ、それに沿って滑らかに、かつ、安定して摺動可能である。また、滑らかな外面を有する２つのリブ部３２２が、ハウジング１０に対向し、かつ、それぞれ本体１２の頂部壁及び第１の側部壁に当接する側部において、上部摺動体３２の頂部壁及び側部壁にそれぞれ形成されている。リブ部３２２の滑らかな外面により、案内チャネル１２４に対する上部摺動体３２の移動は、滑らかである。
【００２３】
下部摺動体３６は、上部摺動体３２に結合されており、ブレードホルダー２０に摺動可能に取り付けられている。下部摺動体３６は、下部摺動体３６の一方の端部から延出し、かつ、ブレード４０に接続されているブレード取付台３６２を有している。下部摺動体３６は、さらに、上部摺動体３２に対向する側部において、下部摺動体３６に形成され、かつ、それから突出している接続ベース３６４を有している。接続ベース３６４は、ブレードホルダー２０における位置決めチャンネル２２から延出しており、かつ、本体１２における通路１２６に摺動可能に取り付けられている。接続ベース３６４は、上部摺動体３２に接続されており、下部摺動体３６が、ブレードホルダー２０に対して、上部摺動体３２と共に移動できるようにしている。好ましくは、上部摺動体３２は、上部摺動体３２に形成されている結合タブ部３２４を有しており、かつ、接続ベース３６４は、接続ベース３６４に画成され、かつ、上部摺動体３２の結合タブ部３２４と係合する結合溝穴部３６６を有している。結合タブ部３２４と結合溝穴部３６６との係合により、上部摺動体３２及び下部摺動体３６は、互いに他と結合されている。好ましくは、結合タブ部３２４は、上部摺動体３２の側部壁に形成可能か、あるいは、位置決め部材３３の取付け部分３３４に形成可能である。位置決め部材３３の取付け部分３３４は、上部摺動体３２に対向する接続ベース３６４の側部に当接する。
【００２４】
図４及び６を参照すると、弾性タブ部３８は、弾性を有し、かつ、下部摺動体３６に取り付けられて位置決めされている。弾性タブ部３８は、弾性タブ部３８の２つの端部から内方に突出し、かつ、下部摺動体３６から延出している２つの脚部３８２を有している。弾性タブ部３８の各脚部３８２は、下部摺動体３６から延出し、かつ、ブレードホルダー２０の歯２４の一つと係合する係合端部を有している。脚部３８２の係合端部は、湾曲していてよく、かつ、下部摺動体３６の接続ベース３６４の上面から延出していてよい。上部摺動体３２は、さらに、それぞれ弾性タブ部３８の脚部３８２の係合端部に当接する２つの突出部３２６を有している。各突出部３２６は、突出部３２６の端部に画成され、かつ、弾性タブ部３８の脚部３８２の対応する一方に当接する傾斜押圧面を有している。好ましくは、突出部３２６は、位置決め部材３３の取付け部分３３４に横方向に形成され、かつ、それから突出して、下部摺動体３６の接続ベース３６４の上面に当接している。よって、突出部３２６は、脚部３８２の係合端部を押圧して、脚部３８２の係合端部を歯２４から外すことができる。突出部３２６と接続ベース３６４の上面との間の、かつ、取付け部分３３４と接続ベース３６４の側部との間の当接により、位置決め部材３３と接続ベース３６４との間にＬ字形当接関係が生じて、上部摺動体３２と下部摺動体３６との結合の構造的安定性が高まる。さらにまた、各突出部３２６は、さらに、互いに他に対向する端部において、突出部３２６に形成されている押圧ブロック３２８を有している。各突出部３２６の押圧ブロック３２８は、上部摺動体３２から下部摺動体３６に向かって突出している長さであって、かつ、上部摺動体３２から下部摺動体３６に向かって突出している突出部３２６の長さより大きい長さを有している。よって、各押圧ブロック３２８は、弾性タブ部３８の脚部３８２の対応する一方の係合端部の中央位置に当接するよう延出して、上部摺動体３２が脚部３８２を押圧する接触面積を大きくし、かつ、脚部３８２を押圧する押圧力も、増大できるようにしている。
【００２５】
図１及び６を参照すると、スライダー３０をハウジング１０及びブレードホルダー２０に組み付けた後、上部摺動体３２の頂部壁と側部壁は、それぞれ本体１２の頂部壁と第１の側部壁に対応している。ユーザーが、ハウジング１０を保持すると、ユーザーは、上部摺動体３２の頂部壁、側部壁又は結合部分を押圧して、本体１２の案内チャネル１２４に対して、かつ、それに沿って、上部摺動体３２を移動させることができる。結果として、下部摺動体３６に接続されているブレード４０を、ハウジング１０の前端部における開口部から延出、又は、後退させてその中に入れることができる。弾性タブ部３８の脚部３８２とブレードホルダー２０の歯２４との間の係合によって、ブレード４０は、所望の延出長で本体１２から延出している位置で保持することができる。したがって、スライダー３０は、単一の特定の方向又は押圧面に制限されずに、異なる方向から押圧することができ、したがって、カッターは、使用の融通が利き、簡便さが増大することになる。
【００２６】
また、案内チャネル１２４の幅Ｗ３は、調整可能に低減して、カッターの内部構造が露出しないようにすることができる。カッターの操作の妨げとなる外来物が、ハウジング内に入り込まないようにすることができ、かつ、カッターの外観を美麗にして、消費者にとって魅力あるものにすることができる。
【００２７】
図７を参照すると、位置決め部材３３の横方向部分３３２は、上部摺動体３２の長さＬ１より小さな長さＬ２を有して、位置決め部材３３と上部摺動体３２の頂部壁及び側部壁との間に逃がし穴３３６を画成している。上部摺動体３２と位置決め部材３３との間に形成された逃がし穴３３６の配置によって、上部摺動体３２の案内チャネル１２４に対する移動距離が増大可能となっている。結果として、ハウジング１０から延出しているブレード４０の延出長も、用途の異なるニーズに合わせて増大可能となっている。したがって、カッターは、使用の融通が利き、実用性が向上している。
【産業上の利用可能性】
【００２８】
上記の説明では、本発明の構成及び機能の詳細と共に、本発明の多数の特徴及び利点を記述したが、本開示は、説明に過ぎず、細部において、特に、部品の形状、サイズ、及び配置の点で、本発明の原理内において、添付のクレームを表現するのに用いた用語の広い一般的な意味によって示される最大限の程度まで、変更を行なってよい。
【符号の説明】
【００２９】
１０    ハウジング
１２    本体
１２２  チャンバー
１２４  案内チャネル
１２６  通路
１３    結合凹部
１３１  結合凹部
１３２  結合リブ部
１３４  係合凹部
１８    リヤキャップ
１８２  保持凹部
１８４  係合溝部
１８３  カットオフ部
１８４  係合溝部
１８６  係合ブロック
２０    ブレードホルダー
２２    位置決めチャンネル
２４    歯
３０    スライダー
３２    上部摺動体
３２２  リブ部
３２４  結合タブ部
３２６  突出部
３２８  押圧ブロック
３３    位置決め部材
３３２  横方向部分
３３４  取付け部分
３３６  逃がし穴
３４    案内凹部
３６    下部摺動体
３６２  ブレード取付台
３６４  接続ベース
３６６  結合溝穴部
３８    弾性タブ部
３８２  脚部
４０    ブレード
【図１】
2014033963.tif 000003
【図２】
2014033963.tif 000004
【図３】
2014033963.tif 000005
【図４】
2014033963.tif 000006
【図５】
2014033963.tif 000007
【図６】
2014033963.tif 000008
【図７】
2014033963.tif 000009